(57)【要約】【課題】  Ｗｅｂサイトを活用して新しい収入源を得るために、広告バナーを掲載しているブログなどのＷｅｂサイト自体を、本発明に係るサイト株の評価対象として、当該広告バナーの売上実績のあるＷｅｂサイトに係る上記サイト株の売買や保有をシステム上で可能とし、Ｗｅｂページに株発行元バナーや株主バナーの掲載、表示制御を行うシステムの提供を目的とする。【解決手段】  Ｗｅｂサイトに対する評価を表すサイト株の売買を管理するシステムであって、インターネット上のＷｅｂサイトに表示することが可能なタグ情報を生成し、当該タグ情報に基づき、Ｗｅｂサイトをサイト株の対象とする仮想証券化して、当該サイト株の発行元又は当該サイト株の株主に応じて、異なるタグ情報を生成し、サイト株情報、サイト株に係る株主情報を管理することで、当該タグ情報の更新も可能とするものである。【選択図】  図１
2012014563.tif 000002
【特許請求の範囲】
【請求項１】
利用者端末と通信可能に接続され、サイト株の売買管理を行うサーバを有するサイト株売買管理システムであって、
上記サーバは、
利用者情報を記憶する利用者情報記憶手段と、
サイト株に関する情報であるサイト株情報を記憶するサイト株情報記憶手段と、
サイト株の株主に関する情報を記憶する株主情報記憶手段と、
上記利用者端末との情報の送受信を制御する通信制御手段と、
上記利用者端末からサイト株の購入要求を受信すると、上記株主情報記憶手段を参照し、当該購入要求に係るサイト株の株主であるか否かを判別する株主判別手段と、
上記株主判別の結果、新規株主である場合に、新規の株主専用タグ情報を生成する新規タグ生成手段と、
上記生成した新規の株主専用タグ情報を上記利用者端末へ送信するタグ情報発行手段と、
を有することを特徴とするサイト株売買管理システム。
【請求項２】
上記サーバは、上記株主判別の結果、既株主である場合に、株主専用タグ情報を更新するタグ更新手段と、
上記更新した株主専用タグ情報を、上記利用者端末へ送信する更新タグ情報送信手段と、を更に有する、
ことを特徴とする上記請求項１に記載のサイト株売買管理システム。  
【請求項３】
上記サーバは、上記利用者端末からサイト株購入要求を受信すると、当該購入要求を行ったＷｅｂサイトに係る利用者情報を特定する売却特定手段と、
上記特定した利用者情報に基づき、当該サイト株の売却注文中であるか否かを判別する売却注文判別手段と、
上記売却注文判別の結果、売却注文中である場合に、当該利用者が保有するサイト株を優先的に売却処理する優先売買手段と、を更に有する、
ことを特徴とする上記請求項１又は２に記載のサイト株売買管理システム。
【請求項４】
利用者端末と通信可能に接続され、利用者情報を記憶する利用者情報記憶手段とサイト株に関する情報であるサイト株情報を記憶するサイト株情報記憶手段とサイト株の株主に関する情報を記憶する株主情報記憶手段とを有するサーバにより行われるサイト株の売買管理する処理方法であって、
上記サーバが、
上記利用者端末との情報の送受信を制御する処理と、
上記利用者端末からサイト株の購入要求を受信すると、上記株主情報記憶手段を参照し、当該購入要求に係るサイト株の株主であるか否かを判別する処理と、
上記株主判別の結果、新規株主である場合に、新規の株主専用タグ情報を生成する処理と、
上記生成した新規の株主専用タグ情報を上記利用者端末へ送信する処理と、
を行うことを特徴とする処理方法。
【請求項５】
利用者端末と通信可能に接続され、利用者情報を記憶する利用者情報記憶手段とサイト株に関する情報であるサイト株情報を記憶するサイト株情報記憶手段とサイト株の株主に関する情報を記憶する株主情報記憶手段とを有するサーバに対して、サイト株の売買管理を実行させるコンピュータプログラムであって、
上記サーバに対して、
上記利用者端末との情報の送受信を制御する処理と、
上記利用者端末からサイト株の購入要求を受信すると、上記株主情報記憶手段を参照し、当該購入要求に係るサイト株の株主であるか否かを判別する処理と、
上記株主判別の結果、新規株主である場合に、新規の株主専用タグ情報を生成する処理と、
上記生成した新規の株主専用タグ情報を上記利用者端末へ送信する処理と、
を実行させることを特徴とするプログラム。
【発明の詳細な説明】
【技術分野】
【０００１】
インターネット上に開設したＷｅｂサイトの仮装証券化システムに関する。
【背景技術】
【０００２】
従来、インターネット上にＷｅｂサイトを開設し、Ｗｅｂページ内に商用Ｗｅｂサイトに係る商品の広告バナーを掲載することが一般的である。この場合、当該広告バナーからの商品の売買成立時には、Ｗｅｂサイトの運営者が広告主から成功報酬を得ることが可能であった。
【０００３】
また、Ｗｅｂサイト内に掲載した広告バナーを経由せずに、広告主から商品売買を行ったユーザがいた場合に、アクセス経路を追跡し、報酬の支払い先を特定する技術も開示されている（特許文献１）。
【０００４】
また、Ｗｅｂサイト内に掲載した広告バナーから、広告主の企業に係る株の取引を可能にするシステムも開示されている（特許文献２）。
【先行技術文献】
【特許文献】
【０００５】
【特許文献１】特開２００５−１６５３９４号公報
【特許文献２】特開２００９−９３４２７号公報
【発明の概要】
【発明が解決しようとする課題】
【０００６】
しかしながら、上記特許文献１では、報酬の支払い先を特定する追跡ができるのみで、報酬の支払い先のユーザが、他ユーザとどのような関連付けをされているか、特定することができなかった。
【０００７】
また、上記特許文献２では、証券取引所における株取引を目的とするものであって、インターネット上のサイト株を取引の対象にするシステムではなかった。
【０００８】
そこで、本発明においては、広告バナーを掲載するブログなどのＷｅｂサイト自体をサイト株の評価対象とし、広告バナーの売上実績のあるＷｅｂサイトに係るサイト株を売買、保有し、Ｗｅｂページに株発行元バナーや株主バナーの掲載、表示制御を行うシステムを提供することを目的とする。
【課題を解決するための手段】
【０００９】
本発明は、利用者端末と通信可能に接続され、サイト株の売買管理を行うサーバを有するサイト株売買管理システムであって、上記サーバは、利用者情報を記憶する利用者情報記憶手段と、サイト株に関する情報であるサイト株情報を記憶するサイト株情報記憶手段と、サイト株の株主に関する情報を記憶する株主情報記憶手段と、上記利用者端末との情報の送受信を制御する通信制御手段と、上記利用者端末からサイト株の購入要求を受信すると、上記株主情報記憶手段を参照し、当該購入要求に係るサイト株の株主であるか否かを判別する株主判別手段と、上記株主判別の結果、新規株主である場合に、新規の株主専用タグ情報を生成する新規タグ生成手段と、上記生成した新規の株主専用タグ情報を上記利用者端末へ送信するタグ情報発行手段と、を有することを特徴とする。
【００１０】
本発明は、上記サーバが、上記株主判別の結果、既株主である場合に、株主専用タグ情報を更新するタグ更新手段と、上記更新した株主専用タグ情報を、上記利用者端末へ送信する更新タグ情報送信手段と、更に有することを特徴とする。
【００１１】
本発明は、上記サーバが、上記利用者端末からサイト株購入要求を受信すると、当該購入要求を行ったＷｅｂサイトに係る利用者情報を特定する売却特定手段と、上記特定した利用者情報に基づき、当該サイト株の売却注文中であるか否かを判別する売却注文判別手段と、上記売却注文判別の結果、売却注文中である場合に、当該利用者が保有するサイト株を優先的に売却処理する優先売買手段とを更に有することを特徴とする。
【００１２】
本発明は、利用者端末と通信可能に接続され、利用者情報を記憶する利用者情報記憶手段とサイト株に関する情報であるサイト株情報を記憶するサイト株情報記憶手段とサイト株の株主に関する情報を記憶する株主情報記憶手段とを有するサーバにより行われるサイト株の売買管理する処理方法であって、上記サーバが、上記利用者端末との情報の送受信を制御する処理と、上記利用者端末からサイト株の購入要求を受信すると、上記株主情報記憶手段を参照し、当該購入要求に係るサイト株の株主であるか否かを判別する処理と、上記株主判別の結果、新規株主である場合に、新規の株主専用タグ情報を生成する処理と、上記生成した新規の株主専用タグ情報を上記利用者端末へ送信する処理と、を行うことを特徴とする。
【００１３】
本発明は、利用者端末と通信可能に接続され、利用者情報を記憶する利用者情報記憶手段とサイト株に関する情報であるサイト株情報を記憶するサイト株情報記憶手段とサイト株の株主に関する情報を記憶する株主情報記憶手段とを有するサーバに対して、サイト株の売買管理を実行させるコンピュータプログラムであって、上記サーバに対して、上記利用者端末との情報の送受信を制御する処理と、上記利用者端末からサイト株の購入要求を受信すると、上記株主情報記憶手段を参照し、当該購入要求に係るサイト株の株主であるか否かを判別する処理と、上記株主判別の結果、新規株主である場合に、新規の株主専用タグ情報を生成する処理と、上記生成した新規の株主専用タグ情報を上記利用者端末へ送信する処理と、を実行させることを特徴とする。
【発明の効果】
【００１４】
本発明によれば、バナー広告の売上実績の高いＷｅｂサイトに、当該Ｗｅｂサイト用のアフィリエイトタグには、自身のＷｅｂサイトへのリンクを含むアフィリエイトタグが生成され、自身のＷｅｂサイト用のアフィリエイトタグには、当該Ｗｅｂサイトへの出資関係を示す情報を含むアフィリエイトタグが生成され、いずれにもアクセス増加と報酬の増加を図ることができる。
【図面の簡単な説明】
【００１５】
【図１】本実施形態に係るＷｅｂサイトの仮想証券化システムの全体概要図
【図２】本実施形態に係るサイト株管理サーバの機能ブロック図
【図３】（ａ）サイト株発行元リスト、（ｂ）株主リスト
【図４】サイト株購入処理のシーケンス図
【図５】サイト株購入要求の判別処理フロー図
【図６】株発行元Ｗｅｂサイトからの株購入処理フロー図
【図７】株主Ｗｅｂサイトサイトからの株購入処理フロー図
【図８】本実施形態に係るＷｅｂサイトの関係例
【図９】サイト株発行元のＷｅｂサイトに掲載される株発行元バナーの表示例
【図１０】（ａ）サイト株に係る株主一覧の表示例、（ｂ）サイト株情報の詳細の表示例
【図１１】（ａ）発行タグ情報、（ｂ）サイト株発行元タグ情報、（ｃ）株主タグ情報
【発明を実施するための形態】
【００１６】
本発明の一の実施形態に係るＷｅｂサイトの仮想証券化システムについて、以下、図面を参照して説明する。
本実施形態に係る仮想証券化システムとは、インターネット上に開設したＷｅｂサイトを管理するシステムであって、あるＷｅｂサイト内のＷｅｂページに広告バナーが掲載されアフィリエイト実績を有する場合、当該Ｗｅｂサイトに対するアフィリエイト実績評価をサイト株に反映し、当該サイト株の一般公開（売買）を可能とすることで、Ｗｅｂサイトをサイト株で表現される仮想証券化するシステムである。
また、サイト株の発行元Ｗｅｂサイトであることが識別できる株発行元バナーや、あるサイト株に対する株主であることが識別できる株主バナーが、Ｗｅｂページに掲載、表示される。さらに、株発行元バナーや株主バナーに係るＨＴＭＬコード内のタグ情報を生成、更新して、Ｗｅｂページに掲載される各種株バナーを制御するものである。
サイト株とは、Ｗｅｂサイトに対するアフィリエイト実績評価を示す情報であって、本実施形態の利用者が電子マネーや、ポイントなどで売買の対象となる仮想証券である。
【００１７】
図１は、Ｗｅｂサイトの仮想証券化システムの全体概要図を示したものである。運営者端末１、株主端末２、購入者端末３、サイト株管理サーバ４、Ｗｅｂサーバ５、ネットワーク６を介して通信可能に接続されている。
また、図示されていないが、Ｗｅｂサイトに掲載した広告バナーの情報制御や情報管理を行うアフィリエイト運営会社システムがネットワーク６と介して通信可能に接続されている。
【００１８】
運営者端末１、購入者端末２、株主端末３は、いずれも本実施形態に係る仮想証券化システムのユーザが利用する端末であって、同じ構成を有するクライアント端末である。
本実施形態において、同一ユーザが本仮想証券化システムの利用時の立場に応じて、自身がＷｅｂサーバ５上に開設したＷｅｂサイトの運営者であったり、他ユーザのＷｅｂサイトに係るサイト株の株主であったり、他ユーザのＷｅｂサイトに係るサイト株の購入希望者であったりする。この場合にユーザ端末は、Ｗｅｂサイト運営者端末１、株主端末２、購入者端末３、と表現を区別する。なお、以下の説明において、ユーザ端末とまとめて記載する場合と、Ｗｅｂサイト運営者端末１、株主端末２、購入者端末３と区別して記載する場合がある。
【００１９】
ユーザ端末は、Ｗｅｂブラウザを実行することができる機能を有し、Ｗｅｂサーバ５と情報通信を可能とする装置であって、Ｗｅｂサーバ上に自身のＷｅｂサイトを開設しているユーザが利用するクライアント端末である。ユーザ端末は、いわゆるパーソナルコンピュータである。また、ユーザ端末は、パーソナルコンピュータに限定されず、Ｗｅｂブラウザを事項することができる機能を有し、Ｗｅｂサーバ５と通信可能な装置であればよく、携帯電話端末や、ＰＤＡ（Ｐｅｒｓｏｎａｌ  Ｄｉｇｉｔａｌ  Ａｓｓｉｓｔａｎｔｓ）などの携帯情報端末であってもよい。
また、図示されていないが、ユーザ端末は、演算処理装置であるＣＰＵを有し、ＲＡＭ、ＲＯＭ等のメモリや、ハードディスクドライブなどの外部メモリを制御し、ＣＰＵが実行するコンピュータプログラムにより情報処理を行うものである。
【００２０】
サイト株管理サーバ４は、Ｗｅｂサーバ５上に開設したＷｅｂサイトに対するサイト株情報の制御処理や、サイト株の売買処理や、株主情報の管理処理や、株バナー情報の制御処理など、Ｗｅｂサイト情報とサイト株情報の管理処理を行うものである。
サイト株管理サーバ４は、Ｗｅｂサーバ５と通信可能に接続されていて、サイト株売買要求や、株バナー情報の更新要求などの情報通信を行う。また、ネットワーク８を介して、運営者端末１、購入者端末２、株主端末３と通信可能に構成されている。さらに、サイト株管理サーバ４は、図示しないアフィリエイト運営会社システムから、広告バナーに対するアフィリエイト情報を受信することができる。
【００２１】
また、サイト株管理サーバ４は、演算処理装置であるＣＰＵを有し、ＲＡＭ、ＲＯＭ等のメモリや、ハードディスクドライブなどの外部メモリを制御し、ＣＰＵが実行するコンピュータプログラムにより情報処理を行うものである。
図２を参照して、サイト株管理サイト４の機能ブロックについて説明する。サイト株管理サイト４は、ユーザ情報ＤＢ４０１、サイト株ＤＢ４０２、株主情報ＤＢ４０３、アフィリエイト情報ＤＢ４０４、Ｗｅｂサイト口座ＤＢ４０５、通信制御部４０６、株情報制御部４０７、株主情報制御部４０８、株売買部４０９、タグ情報生成部４１０、アフィリエイト情報制御部４１１、配当部４１２、サイト口座制御部４１３、を有する構成である。
【００２２】
ユーザ情報ＤＢ４０１は、本実施形態に係る仮想証券化システムを利用する会員ユーザに関するユーザ情報を記憶する。
会員ユーザとは、Ｗｅｂサーバ５上に自身のＷｅｂサイトやブログ等のＷｅｂページを開設している運営者のことであって、会員登録して本仮想証券化システムを利用する者のことをいう（以下、単に「ユーザ」を記載し説明する）。また、ユーザは、上記自身のＷｅｂサイトなどの運営者でありながら、当該Ｗｅｂサイトに係るサイト株の発行元である場合にはＷｅｂサイト運営者もしくは株発行元、他ユーザのＷｅｂサイトに係るサイト株を購入希望する場合には購入者、他ユーザのＷｅｂサイトに係るサイト株を保有する場合には株主、と各処理における立場の相違に応じて記載表現が変わるものとする。
ユーザ情報とは、ユーザを識別できるユーザ識別情報、ユーザの氏名、ニックネーム、パスワード、自身が開設し運営しているＷｅｂサイトのＵＲＬ（Ｕｎｉｆｏｒｍ  Ｒｅｓｏｕｒｃｅ  Ｌｏｃａｔｏｒ）、Ｗｅｂサイト識別情報、広告バナー情報、発行株情報、保有株情報、アフィリエイト情報、住所、連絡先、クレジット決済情報などを含む情報である。
【００２３】
サイト株ＤＢ４０２は、発行済みのサイト株に関するサイト株情報を記憶する。
サイト株とは、Ｗｅｂサイトに対するアフィリエイト実績評価を示す情報であって、本実施形態の利用者が電子マネーや、ポイントなどで売買の対象となる仮想証券である。
サイト株情報は、サイト株を識別できるサイト株識別情報、サイト株発行元であるＷｅｂサイト運営者のユーザ識別情報、Ｗｅｂサイト識別情報、サイト株価、発行株数、運営者保有株数、株主情報、時価総額、１株配当、配当比率、内部留保、株主数などを含む情報である。
【００２４】
株主情報ＤＢ４０３は、いちのサイト株に係る株主に関する株主情報を記憶する。
株主情報とは、サイト株識別情報、発行元Ｗｅｂサイト識別情報、発行元Ｗｅｂサイト運営者のユーザ識別情報、株主数、株主のユーザ識別情報、株価情報、ユーザ毎の保有株数、ニックネームなどを含む情報である。
【００２５】
アフィリエイト情報ＤＢ４０４は、Ｗｅｂページに掲載した広告バナーに基づくアフィリエイト実績に関するアフィリエイト情報を記憶する。
アフィリエイト情報とは、ユーザ毎にアフィリエイト運営会社から発行された識別情報に関連付けて、売上実績情報、報酬情報、ユーザ識別情報、Ｗｅｂサイト識別情報などを含む情報である。アフィリエイト情報は、アフィリエイト運営会社システムから受信した情報である。
【００２６】
Ｗｅｂサイト口座ＤＢ４０５は、サイト株の配当情報を記憶する。
配当情報とは、発行元Ｗｅｂサイト運営者のユーザ識別情報、サイト株識別情報、運営者の保有株数、時価総額、配当比率などを含む情報である。
【００２７】
通信制御部４０６は、ネットワーク６を介したユーザ端末や、Ｗｅｂサーバ５と各種情報の送受信を制御する。また、通信制御部４０６は、ネットワーク６を介して、図示しないアフィリエイト運営会社システムとアフィリエイト情報の送受信を制御する。
【００２８】
株情報制御部４０７は、サイト株発行元のＷｅｂサイトからの処理要求であるか否かの判別や、サイト株の発行元でない株主のＷｅｂサイトからの処理要求であるか否かの判別を行う。処理要求元判別の結果に基づき、当該要求による情報処理を制御する。
【００２９】
株主情報制御部４０８は、新規株主情報の追加登録や、保有株数の変更があった場合に、株主情報の制御を行う。
【００３０】
株主取引制御部４０９は、ユーザ間でのサイト株の売買を管理する。
例えば、ユーザ自身が運営するＷｅｂサイトに係るサイト株を売りたい場合であったり、他ユーザのＷｅｂサイトに係るサイト株を買いたい若しくは売りたい場合であるときの、情報制御を行うものである。
【００３１】
タグ生成部４１０は、ユーザが運営するＷｅｂサイトに表示可能なタブ情報を生成する。例えば、ユーザ自身の運営するＷｅｂサイトには、自身がサイト株の発行元であることが識別可能なタグ情報を生成する。また、他ユーザの運営するＷｅｂサイトに対するサイト株に係る株主であることが識別可能なタグ情報を生成する。
【００３２】
アフィリエイト情報制御部４１１は、Ｗｅｂサイト上に表示したバナー広告における商品の売り上げ実績に基づく、アフィリエイト報酬を管理する処理を行う。
例えば、アフィリエイト運営会社システムから、あるバナー広告に対する売上情報、報酬情報を受信した場合に、当該バナー広告に係るＷｅｂサイトのサイト株を特定し、当該売上情報、報酬情報を関連付ける。
【００３３】
配当部４１２は、アフィリエイトにおける報酬情報と、サイト株における配当情報を管理する処理を行う。
【００３４】
サイト口座制御部４１３は、サイト株の発行元のサイト口座を制御する。
【００３５】
アフィリエイト運営会社システムとは、いわゆるアフィリエイトを運営する企業が有するシステムである。
【００３６】
広告主とは、企業などが商品の広告をアフィリエイト運営会社に依頼する。アフィリエイト運営会社に対して、バナー広告を経由した商品売買の成立時に、報酬を支払うものである。
【００３７】
Ｗｅｂサイトは、インターネット上に公開されているＷｅｂサイトである。株発行元タグは、サイト株の発行元であるＷｅｂサイトであることを識別できるタグ情報である。広告バナーは、所定のＷｅｂサイト内に表示されているものである。
【００３８】
ネットワーク６は、いわゆるインターネット網であり、情報通信を可能にするものである。
【００３９】
（仮想証券取引サイトへのユーザ登録処理）
次に、本発明における、サイト株情報を管理する仮想証券取引Ｗｂｅサイトをインターネット上に開設する実施形態を説明する。
サイト株管理サーバ４が格納する各種情報を表示又は処理するために、Ｗｅｂサーバ５上に開設するＷｅｂサイトが、仮想証券取引サイトとなる。上記仮想証券取引サイトでは、ユーザが会員登録を行うことで、会員であるユーザ間で自身のＷｅｂサイトに対して発行しているサイト株の保有若しくは売買、又は他ユーザが発行しているサイト株の保有若しくは売買の取引処理が可能に情報制御される。仮想証券取引サイトは、Ｗｅｂサーバ５上に開設しているユーザ毎の自身Ｗｅｂサイトとは異なる。
【００４０】
（仮想証券化Ｗｅｂサイトにおける株発行元又は株主を表示するＨＴＭＬタグ情報）
次に、会員ユーザ自身が運営するＷｅｂサイトに係るＨＴＭＬコードに挿入する株主タグ情報について説明する。
＜ＳＣＲＩＰＴ＞タグでスクリプト言語をｊａｖａｓｃｒｉｐｔに指定して、ｓｒｃ属性でｊｓファイルの絶対パスを指定する。例えば、＜ＳＣＲＩＰＴ  Ｌａｎｇｕａｇｅ=“ｊａｖａｓｃｒｉｐｔ”  ｓｒｃ＝“表示内容のｊｓファイル格納先の絶対パス”＞＜／ＳＣＲＩＰＴ＞となる。＜ｉｆｒａｍｅ＞タグのｓｒｃ属性で表示内容のＵＲＬを指定する。例えば、＜ｉｆｒａｍｅ  ｓｒｃ＝“当該サイト株の株情報を表示するためのＵＲＬ？当該Ｗｅｂサイトに関する識別情報“＞や、＜ｉｆｒａｍｅ  ｓｒｃ＝“当該サイト株の株情報を表示するためのＵＲＬ？当該Ｗｅｂサイトの運営者に係る利用者識別情報“＞や、＜ｉｆｒａｍｅ  ｓｒｃ＝“当該サイト株の株情報を表示するためのＵＲＬ？当該サイト株の発行元に係る利用者識別情報＆当該Ｗｅｂサイトの運営者に係る利用者識別“＞となる。
ユーザ端末がスクリプト言語に対応していない場合には、新ウィンドウで表示する内容の絶対パスをアンカーで指定するＨＴＭＬコードを、タグ情報に記載する。
【００４１】
図１１は、上述したタグ情報のＨＴＭＬコードを例示したものである。本実施形態における処理によって、自身がサイト株発行元になる場合や、他者が発行するサイト株の株主となる場合がある。
図１１（ａ）は、発行タグ情報の例であり、リンク先の仮想証券化ＷｅｂサイトのＵＲＬ１００１は「ｈｔｔｐ：／／ｘｘｘｙ．ｃｏｍ」であり、当該サイト株の発行元である者の識別情報１００２は「ｉｄ＝ｙｕｕ」であり、当該タグ情報を発行された者の識別情報１００３は「ｉｄｓ＝ｚｚｚ」であるように、例示したものである。
図１１（ｂ）は、サイト株発行元タグ情報の例であり、リンク先の仮想証券化ＷｅｂサイトのＵＲＬ「ｈｔｔｐ：／／ｘｘｘｙ．ｃｏｍ」と、当該サイト株発行元である者の識別情報１００４「ｉｄ＝ｙｕｕ」を含む情報である。
図１１（ｃ）は、他者のサイト株に対する株主タグ情報の例であり、リンク先の仮想証券化ＷｅｂサイトのＵＲＬ「ｈｔｔｐ：／／ｘｘｘｙ．ｃｏｍ」と、当該サイト株の発行元である者の識別情報１００５「ｉｄ＝ｙｕｕ」と、当該タグ情報を自身のＷｅｂページに挿入する上記サイト株に対する株主である者の識別情報１００６「ｉｄｓ＝ｚｚｚ」、を含む情報である。
【００４２】
ユーザは、利用者端末を用いてＷｅｂサーバ５にアクセスすると、仮想証券取引サイトへの会員登録画面が、利用者端末の表示部に表示される。利用者端末は、ユーザの操作に基づき、自身が運営するＷｅｂサイトやＷｅｂページやブログなど（まとめて「Ｗｅｂサイト」と表現する。）のＵＲＬを含む登録会員情報を入力し、仮想証券取引サイトへの会員登録処理を要求する。
会員登録情報とは、ユーザの氏名、自身が開設しているＷｅｂサイトのＵＲＬ、当該自身のＷｅｂサイトに掲載しているアフィリエイト情報、ニックネーム、パスワード、クレジットカード情報、などを含む情報である。
【００４３】
サイト株管理サーバ４は、上記ユーザ会員登録処理要求に基づき、上記会員登録要求に係る会員登録情報をユーザ毎に識別可能なユーザＩＤを付与した新規会員のユーザ情報を生成し、ユーザ情報ＤＢ４０１に記憶する。
【００４４】
（会員ユーザの仮想証券取引サイトへのログイン処理）
ユーザが仮想証券取引Ｗｅｂサイトにログインする場合の処理について説明する。
ユーザ端末は、Ｗｅｂサーバ５へアクセスし、仮想証券取引Ｗｅｂサイトにログイン画面を表示する。ユーザ端末は、ユーザＩＤやパスワードを含むログイン要求情報を、Ｗｅｂサーバ５に送信する。
サイト株管理サーバ４は、Ｗｅｂサーバ５からのログイン認証要求を受信すると、ユーザ情報ＤＢ４０１を参照し、当該ログイン認証要求に含まれるユーザＩＤとパスワードが適正な情報であるか否かを判別し、適正な場合には、当該ログイン認証要求を承認する応答をＷｅｂサーバ５に返信する。
【００４５】
ユーザ端末の表示部には、上記ログイン要求処理に対する承認に基づき、ログイン後の仮想証券取引Ｗｅｂサイトの画面が表示される。ユーザ端末は、ログイン状態を保ちながら他のＷｅｂサイトを閲覧することができる。
【００４６】
（サイト株購入処理）
次に、図４を参照して、本実施形態に係る全体の処理動作のうち、サイト株購入処理の流れについて説明する。
Ｗｅｂサーバ５上に開設されているＷｅｂサイトには、当該Ｗｅｂサイトが発行元であるサイト株に関する情報が掲載されている。
購入者端末３はインターネットにアクセスし、Ｗｅｂブラウザによりインターネット上に公開されているＷｅｂサイトの情報を表示する（Ｓ１、Ｓ２）。購入者端末３は、ユーザの操作により、Ｗｅｂサイトに掲載されている株バナーに係るサイト株購入要求の選択指示を受け付けた場合に、当該株バナーに係るサイト株の購入要求を送信する（Ｓ３）。
【００４７】
Ｗｅｂサーバ５は、購入者端末３からのサイト株購入要求を受信すると、サイト株売買要求をサイト株管理サーバ４に送信する（Ｓ４）。
【００４８】
サイト株管理サーバ４は、Ｗｅｂサーバ５からサイト株売買要求を受信すると、サイト株の売買処理、株主情報処理、株主タグ情報処理を行う（Ｓ５〜Ｓ７）。
サイト株の株主情報が更新された場合には、発行元サイト株バナー情報のタグ情報を更新し（Ｓ８）、株主バナーのタグ情報を更新する（Ｓ９）。
【００４９】
また、サイト株管理サーバ４は、サイト株売買処理によって新規の株主になった購入者に対しては、当該サイト株の株主であることが識別できる株主バナーであるタグ情報を含むＨＴＭＬコードを、上記購入者の利用する購入者端末に送信し、当該購入者端末上記新規株主バナーを表示するためのＨＴＭＬコード情報を受信する（Ｓ１０）。
購入者端末３は、利用者の操作を受け付け、Ｗｅｂサーバ５にアクセスし（Ｓ１１）、自身がＷｅｂサーバ５上に開設するＷｅｂサイトに、上記受信した新規株主バナーであることを表示するＨＴＭＬコードの追記処理を行い、当該Ｗｅｂサイトに上記株主バナーの掲載登録処理を行う（Ｓ１２）。
【００５０】
次に、サイト株管理サーバ４における詳細な処理について説明する。図４〜６を参照して、上記図３に係る株売買処理（Ｓ５）、株主情報処理（Ｓ６）、株主タグ情報処理（Ｓ７）の詳細な株売買の一連の処理を説明する。
【００５１】
次に、図５は、サイト株管理サーバ４がサイト株要求を受信した場合の判別処理を示している。
サイト株管理サーバ４は、Ｗｅｂサーバ３から、サイト株売買要求を受信する（Ｓ１０１）。上記受信したサイト株売買要求に含まれるＷｅｂサイト識別情報に基づき、ユーザ情報ＤＢ４０１を参照し、株売買要求元のＷｅｂサイトと、当該Ｗｅｂサイト運営者のユーザ情報と、当該Ｗｅｂサイトに係るサイト株情報と、を特定する（Ｓ１０２、Ｓ１０３、Ｓ１０４）。
【００５２】
上記受信した株売買要求情報に係るサイト株情報と、上記特定した情報に基づき、購入要求に係るサイト株の発行元Ｗｅｂサイトからの売買要求の受信であったか否かを判別する（Ｓ１０５）。
上記発行元判別の結果、当該売買要求に係るサイト株の株主のＷｅｂサイトからの売買要求であると判別した場合（Ｓ１０４：Ｎ）、Ａの処理へ進む。
一方、上記発行元判別の結果、当該売買要求に係るサイト株の発行元Ｗｅｂサイトからの売買要求であると判別した場合（Ｓ１０５：Ｙ）、Ｂの処理へ進む。
【００５３】
（株主Ｗｅｂサイトからのサイト株売買処理）
次に、図６を参照して、株主バナーからのサイト株の売買処理について説明する。
サイト株管理サーバ４は、株売買要求をサイト株の株主Ｗｅｂサイトから受信した場合に、当該サイト株の発行元とは異なる株主からのサイト株の売買と判別する。
サイト株管理サーバ４は、当該株主Ｗｅｂサイトを運営する株主が、自身が保有する当該サイト株の売注文登録をしているか否かを判別する（Ｓ２０１）。株主が保有数サイト株の売注文登録をしているか否かは、ユーザ識別情報とサイト株識別情報に基づき、サイト株情報ＤＢ４０３を参照して判別する。売注文判別の結果、当該株主が自身の保有サイト株の売注文登録をしていない場合（Ｓ２０１：Ｎ）、当該株売買は成立しないものとして処理を終了する。
【００５４】
他方、上記売注文判別の結果、当該株主が自身の保有サイト株の売注文登録をしている場合（Ｓ２０１：Ｙ）、サイト株ＤＢ４０２から当該株主に係るサイト株情報を抽出する。抽出したサイト株情報に基づき、当該株主の売注文登録に係る指値を特定し、上記売買要求に含まれる買注文の指値と一致するか否かを判別する（Ｓ２０２）。指値判別の結果、互いの指値が一致しない場合（Ｓ２０２：Ｎ）、当該株売買は成立しないものとして処理を終了する。
【００５５】
一方、上記指値判別の結果、互いの指値が一致した場合（Ｓ２０２：Ｙ）、上記抽出した売注文登録に係る株主が保有サイト株数と、上記買注文に係る購入希望サイト株数が適正なサイト株数であるか否かを判別する（Ｓ２０３）。サイト株数判別の結果、売注文登録に係る保有サイト株数が買注文に係るサイト株数に満たない場合（Ｓ２０３：Ｎ）、当該株売買を成立しないもとして処理を終了する。
他方、上記サイト株数判別の結果、売買が成立するサイト株数である場合（Ｓ２０３：Ｙ）、当該株売買は仮成立したものとみなし、以降、上記株購入希望者の判別処理を行う。
【００５６】
上記株売買が仮成立した場合（Ｓ２０３：Ｙ）、上記株購入要求に係るユーザが当該サイト株の既存株主であるか又は新規株主であるか否かを判別する（Ｓ２０４）。
新規株主であるか否かの判別は、当該サイト株のサイト株識別情報と当該購入要求に係るユーザのユーザ識別情報に基づき、株主情報ＤＢ４０３を参照して判別する。
【００５７】
上記新規株主判別の結果、当該サイト株の既存株主である場合（Ｓ２０４：Ｎ）、株主情報ＤＢ４０３から当該購入希望に係るユーザの株主情報を抽出する。当該抽出した株主情報に含まれる保有サイト株数情報を、当該売買成立後のサイト株数に変更し、サイト株情報ＤＢ４０２に更新登録する（Ｓ２０５）。
また、当該株主情報に含まれる株主バナー情報を抽出し、上記変更後のサイト株保有数に対応したタグ情報を生成し、生成後のタグ情報に上記株主バナー情報を更新して、サイト株情報ＤＢ４０２に更新登録する（Ｓ２０６）。
【００５８】
一方、上記新規株主判別の結果、購入希望者が当該サイト株の株主でない場合（Ｓ２０４：Ｙ）、新規の株主情報を生成する（Ｓ２０７）。新規の株主情報は、当該サイト株のサイト株識別情報、購入希望者のユーザ識別情報、売買成立後に当該購入希望者が保有するサイト株数、を含む情報である。また、当該サイト株の株主リストに、上記購入希望者を株主に追加する更新を行う。
【００５９】
また、新規の株主バナー情報を生成する（Ｓ２０８）。株主バナー情報は、上記サイト株の株主であることが識別できる画像データ、株主となるユーザのユーザ識別情報、当該株主となっているサイト株のサイト株識別情報、含む情報である。株主バナー情報を構成するＨＴＭＬコードのうち、上記発行元ＷｅｂサイトのＵＲＬへリンクするタグ情報、上記画像データの格納先であるＵＲＬを含むタグ情報、リンク先へジャンプする際若しくは株売買の際に当該株主を識別できるユーザ識別情報を含むタグ情報、が記載されている株主バナーを生成する。
例えば、株主バナーはＷｅｂページ内に掲載され画像で表示されるものである。株主バナーをクリックすると、当該サイト株の発行元Ｗｅｂサイトにリンクされているため、当該発行元Ｗｅｂサイトへジャンプするものである。
【００６０】
さらに、上記生成した新規株主バナー情報は、上記購入希望者の購入者端末３へ送信する。購入者端末３は、受信した株主バナーを自身のＷｅｂサイトに追記することで、当該サイト株の株主バナーがＷｅｂサイトに掲載される。
【００６１】
上記購入者に対する情報処理の後、上記売注文に係る株主に対する情報処理を行う。
上記売主に係る株主のユーザ識別情報に基づき、上記株主情ＤＢ４０３を参照し、当該売買成立前の当該サイト株の保有サイト株数を抽出する。また、当該サイト株の売買に係る仮の売買成立サイト株数に基づき、売買成立後の当該売注文中のサイト株から減ずる処理を行う。この処理により、売買成立後の当該売注文に係るユーザの残りの当該サイト株に係る保有サイト株数の有無を判別する（Ｓ２１０）。
【００６２】
上記保有サイト株数の有無判別の結果、売買成立後に保有サイト株数がゼロになる場合（Ｓ２１０：Ｎ）、当該売注文に係るユーザ（株売却者）に係る当該サイト株の株主情報を、株主情報ＤＢ４０３から削除する（Ｓ２１３）。
また、上記株売却者の当該サイト株における株主バナーを削除する（Ｓ２１４）。株主情報ＤＢ４０３には、サイト株毎に株主フォルダを格納している。当該株主フォルダには株主画像データが格納されているので、当該株主フォルダを削除することで、当該株売却者のＷｅｂページのＨＴＭＬコードに追記されている株主バナー情報に基づく、画像データのタグ情報は、参照先のディレクトリが存在しないことなり、当該Ｗｅｂページに係る株主バナーには、当該サイト株の株主であることが識別できる画像が表示されなくなる。
【００６３】
他方、上記保有サイト株数の有無判別の結果、売買成立後も当該サイト株を保有し株主である場合（Ｓ２１０：Ｙ）、上記売注文に係るユーザ（株売却者）に係る当該サイト株の株主情報を、売買成立後の保有サイト株数に基づく株主情報に更新し、株主情報ＤＢ４０３に更新登録する（Ｓ２１１）。
また、売買成立後の保有サイト株数に基づく情報を表示するように、株主情報ＤＢ４０３に格納されている株主画像データを更新する（Ｓ２１２）。
【００６４】
上記株売却者の情報処理の後、当該サイト株の売買における報酬情報を生成、当該株売却者に係るユーザ情報に上記報酬情報を加算し、ユーザ情報ＤＢ４０１に更新登録する（Ｓ２１５）。
また、仮成立とみなした上記サイト株売買を、売買成立と本登録し、当該サイト株に係る情報をサイト株ＤＢ４０２に更新登録する（Ｓ２１６）。
【００６５】
（発行元Ｗｅｂサイトからのサイト株売買処理）
次に、図７を参照して、株発行元バナーからのサイト株の売買処理について説明する。
サイト株管理サーバ４は、株売買要求を当該サイト株の発行元Ｗｅｂサイトから受信した場合に、当該サイト株の発行元からのサイト株の売買と判別する。
【００６６】
上記サイト株の発行元Ｗｅｂサイトからの株売買要求の場合（Ｂ）、当該発行元により新規株発行の予約登録がされ、株主募集の公募登録がされているか否かを判別する（Ｓ３０１）。
上記公募登録の有無判別は、サイト株ＤＢ４０２を参照し、当該サイト株に係るサイト株情報に新規サイト株発行の有無を識別できるフラグを有するか否か判別することで行われる。また、当該フラグを有するサイト株情報には、新規サイト株発行の際の、サイト株の発行価格情報が含まれ記憶されている。
【００６７】
上記公募登録の有無判別の結果、新規サイト株発行のための公募登録がされている場合（Ｓ３０１：Ｙ）、サイト株ＤＢ４０２を参照し、当該サイト株に係るサイト株情報を特定し、当該サイト株情報のうち新規サイト株発行の際の発行価格情報を特定し抽出する（Ｓ３０５）。
【００６８】
上記抽出した新規サイト株の発行の発行価格情報に基づき、上記サイト株の購入要求に係る購入希望価格の指値の有無を判別する。購入希望価格の指値が上記売買要求に含まれている場合には、当該指値と上記発行価格情報の一致判別を行い、一致する場合に、当該売買要求に含まる購入希望サイト株数と、新規発行サイト株数の適性を判別し、当該新規発行の成立の可否を判別する（Ｓ３０６）。
また、上記発行成立判別処理では、購入希望価格の指値が上記購入要求に含まれている場合について説明を行ったが、成行のように、購入希望価格を指定せずに、購入希望者が購入要求を送信している場合がある。この場合には、購入要求に含まれる購入希望サイト株数と、発行サイト株数の適性を判別することで、当該新規発行の成立の可否を判別する（Ｓ３０６）。
【００６９】
上記サイト株の発行成立判別の結果、上記サイト株の購入要求が不適正であると判別した場合（Ｓ３０６：Ｎ）、当該購入要求に基づく新規サイト株の発行を非成立のものとして、処理を終了する。
一方、上記サイト株の発行成立判別の結果、当該サイト株の購入要求が適正なものである場合（Ｓ３０６：Ｙ）、当該購入要求に基づく購入希望者のユーザ識別情報を、当該サイト株に係るサイト株情報に追加し、サイト株ＤＢ４０２に更新登録する（Ｓ３０７）。
【００７０】
他方、サイト株管理サーバ４は、上記公募登録の有無判別の結果、新規サイト株発行のための公募登録がされている場合（Ｓ３０１：Ｎ）、当該発行元Ｗｅｂサイトを運営する運営者が、自身が保有する当該発行元サイト株の売注文登録をしているか否かを判別する（Ｓ３０２）。
当該サイト株の発行元が保有数サイト株の売注文登録をしているか否かは、ユーザ識別情報とサイト株識別情報に基づき、サイト株情報ＤＢ４０３を参照して判別する。
上記売注文判別の結果、当該発行元が自身の発行済み保有サイト株の売注文登録をしていない場合（Ｓ３０２：Ｎ）、当該株売買は成立しないものとして処理を終了する。
【００７１】
他方、上記売注文判別の結果、当該発行元自身の発行済み保有サイト株の売注文登録をしている場合（Ｓ３０２：Ｙ）、サイト株ＤＢ４０２から当該発行元に係るサイト株情報を抽出する。抽出したサイト株情報に基づき、当該発行元の売注文登録に係る指値を特定し、上記売買要求に含まれる買注文の指値と一致するか否かを判別する（Ｓ３０３）。指値判別の結果、互いの指値が一致しない場合（Ｓ３０３：Ｎ）、当該株売買は成立しないものとして処理を終了する。
【００７２】
一方、上記指値判別の結果、互いの指値が一致した場合（Ｓ３０３：Ｙ）、上記抽出した売注文登録に係る発行元が自身の発行済み保有サイト株数と、上記買注文に係る購入希望サイト株数が適正なサイト株数であるか否かを判別する（Ｓ３０４）。サイト株数判別の結果、売注文登録に係る保有サイト株数が買注文に係るサイト株数に満たない場合（Ｓ３０４：Ｎ）、当該株売買を成立しないもとして処理を終了する。
他方、上記サイト株数判別の結果、売買が成立するサイト株数である場合（Ｓ３０４：Ｙ）、当該株売買は仮成立したものとみなし、以降、上記株購入希望者の判別処理を行う。
【００７３】
上記株売買が仮成立した場合（Ｓ３０４：Ｙ）、上記株購入要求に係るユーザが当該サイト株の既存株主であるか又は新規株主であるか否かを判別する（Ｓ３０８）。
新規株主であるか否かの判別は、当該サイト株のサイト株識別情報と当該購入要求に係るユーザのユーザ識別情報に基づき、株主情報ＤＢ４０３を参照して判別する。
【００７４】
上記新規株主判別の結果、当該サイト株の既存株主である場合（Ｓ３０８：Ｎ）、株主情報ＤＢ４０３から当該購入希望に係るユーザの株主情報を抽出する。当該抽出した株主情報に含まれる保有サイト株数情報を、当該売買成立後のサイト株数に変更し、サイト株情報ＤＢ４０２に更新登録する（Ｓ３０９）。
また、当該株主情報に含まれる株主バナー情報を抽出し、上記変更後のサイト株保有数に対応したタグ情報を生成し、生成後のタグ情報に上記株主バナー情報を更新して、サイト株情報ＤＢ４０２に更新登録する（Ｓ３１０）。
【００７５】
一方、上記新規株主判別の結果、購入希望者が当該サイト株の株主でない場合（Ｓ３０８：Ｙ）、新規の株主情報を生成する（Ｓ３１１）。新規の株主情報は、当該サイト株のサイト株識別情報、購入希望者のユーザ識別情報、売買成立後に当該購入希望者が保有するサイト株数、を含む情報である。また、当該サイト株の株主リストに、上記購入希望者を株主に追加する更新を行う。
【００７６】
また、新規の株主バナー情報を生成する（Ｓ３１２）。株主バナー情報は、上記サイト株の株主であることが識別できる画像データ、株主となるユーザのユーザ識別情報、当該株主となっているサイト株のサイト株識別情報、含む情報である。株主バナー情報を構成するＨＴＭＬコードのうち、上記発行元ＷｅｂサイトのＵＲＬへリンクするタグ情報、上記画像データの格納先であるＵＲＬを含むタグ情報、リンク先へジャンプする際若しくは株売買の際に当該株主を識別できるユーザ識別情報を含むタグ情報、が記載されている株主バナーを生成する。
例えば、株主バナーはＷｅｂページ内に掲載され画像で表示されるものである。株主バナーをクリックすると、当該サイト株の発行元Ｗｅｂサイトにリンクされているため、当該発行元Ｗｅｂサイトへジャンプするものである。
【００７７】
さらに、上記生成した新規株主バナー情報は、上記購入希望者の購入者端末３へ送信する（Ｓ３１３）。購入者端末３は、受信した株主バナーを自身のＷｅｂサイトに追記することで、当該サイト株の株主バナーがＷｅｂサイトに掲載される。
【００７８】
上記購入者に対する情報処理の後、上記売注文に係る株主に対する情報処理を行う。
上記売主に係る発行元のユーザ識別情報に基づき、上記株主情ＤＢ４０３を参照し、当該売買成立前の当該サイト株の保有サイト株数を抽出する。また、当該サイト株の売買に係る仮の売買成立サイト株数に基づき、売買成立後の当該売注文中のサイト株から減ずる処理を行う。
【００７９】
上記売注文に係るユーザ（株発行元）に係る当該サイト株の株主情報を、売買成立後の保有サイト株数に基づく株主情報に更新し、株主情報ＤＢ４０３に更新登録する（Ｓ３１４）。
また、売買成立後の保有サイト株数に基づく情報を表示するように、株主情報ＤＢ４０３に格納されている株主画像データを更新する（Ｓ３１５）。
【００８０】
また、仮成立とみなした上記サイト株売買を、売買成立と本登録し、当該サイト株に係る情報をサイト株ＤＢ４０２に更新登録する（Ｓ３１６）。
【００８１】
次に、Ｗｅｂサイトの関係性を、当該Ｗｅｂサイトがサイト株の発行元であるか否か、株主であるか否かに分けて説明する。
図８は、あるＷｅｂサイト１１を表示したＷｅｂページの例図である。当該Ｗｅｂページには、広告バナー１２、株発行元情報表示エリア１３が掲載されている。株発行元情報表示エリア１３は、当該ＷｅｂページのＨＴＭＬコードに、株発行元タグ情報を追記して表示されるものである。ユーザは、利用者端末でＷｅｂサイトを閲覧する際に、株発行元情報表示エリア１３を閲覧することができる。
【００８２】
図９は、株発行元情報表示エリア１３の詳細を表示した例図である。株発行元情報表示エリア１３内には、当該発行元サイト株に係る板情報表示エリア１３０１、当該サイト株に係る株主一覧選択エリア１３１１、当該サイト株情報詳細エリア１３１２、が選択可能に表示される。また、板情報表示エリア１３０１は、売数量、買数量を選択可能に制御されている。例えば、値段７８０の売注文を選択する場合には売数量２６０の選択エリア１３１３を選択する。また、値段７７３の買注文を選択する場合には買数量３７０の選択エリア１３１４を選択する。
【００８３】
さらに、株発行元情報表示エリア１３には、株主一覧選択エリア１３１１、株情報詳細選択エリア１３１２が表示されている。
株主一覧選択エリア１３１１が選択されると、図１０（ａ）例示の株主一覧１３０２が表示される。また、株情報詳細選択エリア１３１２が選択されると、図１０（ｂ）例示のサイト株詳細情報１３０３が表示される。
【００８４】
図１０（ａ）に例示の株主一覧には、当該サイト株の株主であるユーザの保有株一覧が表示される。株主として株主Ａ、株主Ｂ、株主Ｃにはリンクが設定されていて、選択エリア１３２１に係る株主Ａが選択されると、当該株主Ａに係る株主Ａが運営するＷｅｂサイトへジャンプする。選択エリア１３２２、１３２３についても同様に、株主Ｂが運営するＷｅｂサイト、株主Ｃが運営するＷｅｂサイトへのリンクが設定され、ジャンプすることになる。
【００８５】
次に、Ｗｅｂサイトに係るサイト株の管理方法について説明する。
あるサイト株の発行元ＷｅｂサイトＳとして、サイト株の配当する場合がある。
【００８６】
ＷｅｂサイトＳの今期利益が１２０，０００Ｐである場合を例示している。ＷｅｂサイトＳの配当性向が、利益の５０％と設定されている場合に、ＷｅｂサイトＳの内部留保（資産）は、６０，０００Ｐ増加する。そして、残りの６０，０００Ｐを株主に配当する。
例えば、発行済株数が３，０００株の場合、１株当たりの配当は２０Ｐとなる。また、サイト運営者が６０％のサイト株を保有していれば、３６，０００Ｐがサイト運営者の取り分となり、残りが一般株主の取り分となる。
【００８７】
また、株発行元ＷｅｂサイトＳと別の株発行元ＷｅｂサイトＭにおけるサイト株の取扱う場合を説明する。
ＷｅｂサイトＳの今期利益が１２０，０００Ｐの場合、ＷｅｂサイトＭのサイト株を保有する場合がある。ＷｅｂサイトＳの運営者は、資産１２，０００Ｐを利用して、ＷｅｂサイトＳ名義で別のＷｅｂサイトＭのサイト株を１００株を購入する。例えば、ＷｅｂサイトＭのサイト株１００株が８，０００Ｐの場合、ＷｅｂサイトＳの内部留保は４０，０００Ｐとなり、ＷｅｂサイトＭのサイト株１００株（評価額８，０００Ｐ）を有することになる。そこで、ＷｅｂサイトＭに係るサイト株の配当があった場合、ＷｅｂサイトＳが保有するＷｅｂサイトＭのサイト株１００株の評価額が変化する。例えば、ＷｅｂサイトＭから、配当（１００株分）が入ると、ＷｅｂサイトＳの収益に加算され、来期ＷｅｂサイトＳの株主に配当される。
【００８８】
以上説明してきた通り、本実施形態によれば、Ｗｅｂサイトにタグを貼りつけるだけで、Ｗｅｂサイトを仮想証券化し、ユーザ間の売買をすることができる。
【００８９】
また、ユーザがログイン状態であれば、ワンクリックで該当Ｗｅｂサイトのサイト株が購入できる。
【００９０】
また、Ｗｅｂサイトの運営者は、自身のＷｅｂサイトにタグを貼るだけで、自身のＷｅｂサイトの株主を集めることができる。
【００９１】
また、サイト株の株主は、過去の収益や、サイトのＰＶ、及び過去の配当やサイト株価等の情報を参考にして、Ｗｅｂサイトに対するサイト株の売買ができる。
【００９２】
また、個人のブログの株以外でも、ショップサイトの株であれば、株主特典を受けるここともできる。例えば、ショップサイトでの買い物時に、自動で株主かを判断し、株主特典を自動で処理する。
【００９３】
また、株主用のタグも発行され、自分のブログに株主用のタグを貼ることで、保有するサイト株のサイトを自分のブログでも宣伝でき、自分のブログに訪れるユーザがサイト株を購入した場合、アフィリエイト報酬も受け取れる。
【００９４】
また、サイト株の売買は、ポイント等の仮想通貨若しくはクレジット、現金決済を可能とする。
【符号の説明】
【００９５】
１  Ｗｅｂサイト運営者端末
２  株主端末
３  株購入者端末
４  サイト株管理サーバ
５  Ｗｅｂサーバ
６  ネットワーク
【図１】
2012014563.tif 000003
【図１１】
2012014563.tif 000004
【図２】
2012014563.tif 000005
【図３】
2012014563.tif 000006
【図４】
2012014563.tif 000007
【図５】
2012014563.tif 000008
【図６】
2012014563.tif 000009
【図７】
2012014563.tif 000010
【図８】
2012014563.tif 000011
【図９】
2012014563.tif 000012
【図１０】
2012014563.tif 000013